(57)【特許請求の範囲】
【請求項１】
手首に装着可能な携帯端末装置であって、
当該携帯端末装置の筐体が手首に装着されていることを検出する装着検出手段と、
前記筐体が予め決められた特定状態でなったことを検出する状態検出手段と、
前記装着検出手段で装着が検出され、且つ前記状態検出手段で前記特定状態が検出された際に、前記筐体に設けられた光学部品を使用した処理を実行するよう制御する処理制御手段と、
を備えたことを特徴とする携帯端末装置。
【請求項２】
手首に装着可能な携帯端末装置であって、
当該携帯端末装置の筐体が手首に装着されていることを検出する装着検出手段と、
前記装着検出手段で装着が検出されていることを前提として、前記筐体に設けられた光学部品を使用した処理の実行のための操作を許容する操作手段と、
前記操作手段による操作が行われた際に、前記光学部品を使用した処理を実行するよう制御する処理制御手段と、
を備えたことを特徴とする携帯端末装置。
【請求項３】
前記筐体が予め決められた特定状態でなったことを検出する状態検出手段と、
を更に備え、
前記操作手段は、前記装着検出手段で装着が検出され、且つ前記状態検出手段で前記特定状態が検出されていることを前提として、前記光学部品を使用した処理の実行のための操作を許容する、
ことを特徴とする請求項２に記載の携帯端末装置。
【請求項４】
前記状態検出手段は、前記筐体が略水平状態になったこと、あるいは前記筐体の動きが停止された停止状態になったこと、あるいは前記筐体が回転された回転状態になったことを、前記特定状態として検出する、
ことを特徴とする請求項１又は３に記載の携帯端末装置。
【請求項５】
前記状態検出手段は、前記筐体が略水平状態で、且つ前記筐体の動きが停止された状態になったことを、前記特定状態として検出する、
ことを特徴とする請求項１又は３に記載の携帯端末装置。
【請求項６】
前記光学部品は、読み取り対象を光学的に走査するスキャナ部を構成する光学素子、あるいは被写体を撮像する撮像部を構成する光学系である、
ことを特徴とする請求項１〜５のいずれかに記載の携帯端末装置。
【請求項７】
手首に装着可能な携帯端末装置のコンピュータを制御するための方法であって、
前記コンピュータを、
当該携帯端末装置の筐体が手首に装着されていることを検出する装着検出手段、
前記筐体が予め決められた特定状態でなったことを検出する状態検出手段、
前記装着検出手段で装着が検出され、且つ前記状態検出手段で前記特定状態が検出された際に、前記筐体に設けられた光学部品を使用した処理を実行するよう制御する処理制御手段、
として機能させるようにした処理実行方法。
【請求項８】
手首に装着可能な携帯端末装置のコンピュータを制御するための方法であって、
前記コンピュータを、
当該携帯端末装置の筐体が手首に装着されていることを検出する装着検出手段、
前記装着検出手段で装着が検出されていることを前提として、前記筐体に設けられた光学部品を使用した処理の実行のための操作を許容する操作手段、
前記操作手段による操作が行われた際に、前記光学部品を使用した処理を実行するよう制御する処理制御手段、
として機能させるようにした処理実行方法。  
【発明の詳細な説明】
【技術分野】
【０００１】
本発明は、携帯端末装置及び処理実行方法に関する。
【背景技術】
【０００２】
従来、ユーザの手首に装着可能な携帯端末装置としては、例えば、バーコードリーダ（スキャナ部）を備えた腕装着タイプの注文入力装置が開示され（特許文献１参照）、又は、腕時計に電子カメラを設けることにより腕に装着したままの状態で撮影可能なリスト型カメラが開示され（特許文献２参照）、更には、カメラを備えた腕時計タイプの携帯情報端末が開示されている（特許文献３参照）。
【先行技術文献】
【特許文献】
【０００３】
【特許文献１】特開２００３‐１３２４３７号公報
【特許文献２】特開２００４‐７２４５０号公報
【特許文献３】特開平１０‐１０８１５２号公報
【発明の概要】
【発明が解決しようとする課題】
【０００４】
しかしながら、上述した各特許文献の技術にあっては、そのサイズが腕時計と略同一サイズであり、腕時計サイズであることは確かに小型化されるため良いのであるが、その分、表示画面のサイズを充分に取れず、せっかく読み取ったコードが何であるのか、あるいは撮影した画像がどのような撮影状態であるのかを確認するには不十分なサイズでしかなかった。かといって、単純に画面を大きくすると、筐体が手首から甲の方向に食み出す形状になり、手首を曲げる度にその甲の部分に筐体が当たり、邪魔になってしまう。また、手首を曲げても筐体が邪魔にならないようにするために、筐体を手首から離して前腕の中央部分に装着することも考えられるが、前腕の太さは手首方向に向かって細くなっているため、バンド部分が緩んで筐体が手首方向にずれてしまって固定することができなくなり、また、服の上からバンドを装着すると、見栄えが悪くなってしまう、といった問題が起きるほか、操作性の点でも十分なものとは言えなかった。
【０００５】
本発明の課題は、筐体を手首に装着した状態において当該筐体に設けられた光学部品を使用した処理の実行する際の操作性の向上を期待できるようにすることである。
【課題を解決するための手段】
【０００６】
請求項１は、手首に装着可能な携帯端末装置であって、当該携帯端末装置の筐体が手首に装着されていることを検出する装着検出手段と、前記筐体が予め決められた特定状態でなったことを検出する状態検出手段と、前記装着検出手段で装着が検出され、且つ前記状態検出手段で前記特定状態が検出された際に、前記筐体に設けられた光学部品を使用した処理を実行するよう制御する処理制御手段と、を備えたことを特徴とする。  
【０００７】
請求項２は、手首に装着可能な携帯端末装置であって、当該携帯端末装置の筐体が手首に装着されていることを検出する装着検出手段と、前記装着検出手段で装着が検出されていることを前提として、前記筐体に設けられた光学部品を使用した処理の実行のための操作を許容する操作手段と、前記操作手段による操作が行われた際に、前記光学部品を使用した処理を実行するよう制御する処理制御手段と、を備えたことを特徴とする。  
【発明の効果】
【０００８】
本発明によれば、筐体を手首に装着した状態において当該筐体に設けられた光学部品を使用した処理の実行する際の操作性の向上を期待することができる。
【図面の簡単な説明】
【０００９】
【図１】腕装着タイプのスキャナ装置をその上の方から見た状態での外観図（上面図）。
【図２】スキャナ装置をその上の方から見た状態での外観図で、このスキャナ装置を手首に装着した状態を示した図。
【図３】スキャナ装置をその上の方から見た状態での外観図で、スキャナ装置を構成する表示部筐体１Ａと操作部筐体１Ｂとを重ね合わせた状態を示した図。
【図４】スキャナ装置をその横の方から見た状態での外観図（一側面図）。
【図５】スキャナ装置の基本的な構成要素を示したブロック図。
【図６】電源投入に応じて実行開始されるスキャナ装置の全体動作の概要を示したフローチャート。
【図７】本発明の変形例を説明するための図で、スキャナ装置を上から見た状態での外観図（上面図）。
【図８】第２実施形態において、スキャナ装置をその上の方から見た状態での外観図（上面図）。
【図９】第２実施形態において、スキャナ装置をその上の方から見た状態での外観図で、このスキャナ装置を手首に装着した状態を示し図。
【図１０】第２実施形態において、スキャナ装置をその横の方から見た状態での外観図（一側面図）。
【発明を実施するための形態】
【００１０】
以下、本発明の実施の形態について、図面を参照して詳細に説明する。
（第１実施形態）
先ず、図１〜図６を参照して本発明の第１実施形態を説明する。
本実施形態は、手首に装着可能な携帯端末装置として、腕装着タイプのスキャナ装置に適用した場合を例示したもので、図１〜図４は、スキャナ装置の外観を示した図である。すなわち、図１〜図３は、腕装着タイプのスキャナ装置をその上の方から見た状態での外観図（上面図）であり、更に図２は、スキャナ装置を手首に装着した状態を示した図である。図４は、スキャナ装置をその横の方から見た状態での外観図（一側面図）である。
【００１１】
スキャナ装置は、読み取り対象（バーコード、二次元コードなどのコード情報）を光学的に走査して読み取る腕装着タイプの光学的読取装置であり、板状の筐体１、手首装着部２、タッチ表示部３、キー操作部４、光学部品５を有する構成となっている。すなわち、スキャナ装置は、長方体形状の板状の筐体１と、その長手方向（図示の例では左右方向：横方向）の一端部側（図中、右側）を固定端とし、その他端部側（図中、左側）を自由端とするために当該一端部側に取り付けられている手首装着部２と、筐体１上に配設されているタッチ表示部３及びキー操作部４と、筐体１が手首装着部２を介して手首に装着されている状態においてその手首の小指側の側面に位置するように配設されている光学部品５を有する構成となっている。
【００１２】
筐体１は、縦横の長さが異なる矩形の板状の部材であり、筐体１の長手方向の他端部側を手首装着部２に固定した片持ち構造となっており、筐体１が手首装着部２を介して手首に装着されている状態においては、筐体１の長手方向が手首から肘に向かう直線方向に沿うように配置されている。そして、筐体１は、図１（１）に示すように、二つの筐体に分割されたもので、タッチ表示部３を備えた表示部筐体１Ａとキー操作部４を備えた操作部筐体１Ｂを有し、この表示部筐体１Ａは、操作部筐体１Ｂに対してスライド可能に取り付けられている。
【００１３】
すなわち、この表示部筐体１Ａと操作部筐体１Ｂとは、上下方向（図中、紙面に対して鉛直方向）に重ね合わせて配設されたもので、表示部筐体１Ａ、操作部筐体１Ｂのうち、その一方の筐体、つまり、操作部筐体１Ｂは、手首装着部２に固定されている。この操作部筐体１Ｂの上に重ね合わせられている他の筐体、つまり、表示部筐体１Ａは、図２に示すように筐体１が手首装着部２を介して手首に装着されている状態において、操作部筐体１Ｂに対して手首から肘に向かう前腕の長さ方向（直線方向）にスライド可能（往復動可能）に取り付けられている。
【００１４】
図３は、表示部筐体１Ａと操作部筐体１Ｂとが上下に重なり合っている状態（操作部筐体１Ｂを閉じた状態）を示している。この場合、操作部筐体１Ｂ上のキー操作部４が表示部筐体１Ａにより完全に覆い隠された状態となる。図１（１）は、操作部筐体１Ｂを閉じた状態から表示部筐体１Ａを手首から肘に向かう直線方向にスライドさせた状態（操作部筐体１Ｂを開けた状態）を示している。この場合、操作部筐体１Ｂ上のキー操作部４が露出した状態となる。図１（２）は、キー操作部４上のキーの配列状態を示した図で、各種のキーが横３×縦４のマトリックス状に配置されている。すなわち、キー操作部４上には、図示の例のように、数値を入力するテンキー、アルファベット文字を入力するアルファベットキー、かな文字を入力する仮名キーなど、各種のキーが配列されている。また、タッチ表示部３は、縦横比の異なる表示画面を有し、この画面の長手方向が表示部筐体１Ａの長手方向に沿うように配設されている。
【００１５】
手首装着部２は、筐体１を支持（片持ち）するもので、図４に示すように、ブリッジ板２Ａ、連結駒２Ｂ、留め具２Ｃ、可撓性バンド２Ｄを有する構成となっている。すなわち、操作部筐体１Ｂの長手方向の一端部には、その長手方向に対して直交する方向に沿ってブリッジ板２Ａが固定されている。このブリッジ板２Ａは、帯状の平板の両端部を斜め下方向に折り曲げて成るもので、この各折曲部（延出部）には、対応する連結駒２Ｂ、２Ｂの一端部が回転可能にビス止めされている。この連結駒２Ｂ、２Ｂの他端部には、対応する留め具２Ｃ、２Ｃが回転可能に取り付けられている。留め具２Ｃ、２Ｃは、可撓性バンド２Ｄの端部を係止するもので、金属製の線状部材を矩形に折り曲げて成り、その一方（図中、右側）の留め具２Ｃには、その矩形内の中央部分に係止ビン（図示省略）が設けられている。
【００１６】
可撓性バンド２Ｄは、例えば、合成樹脂製あるいは硬質布製の帯状部材で、その一端部（図中、左側端部）を重ね合わせた際に、その重合部分には面ファスナ（図示省略）が設けられている。なお、面ファスナは、フック面とループ面とが面的に着脱自在に接着する構成のファスナである。また、可撓性バンド２Ｄの他端部（図中、右側端部）は、上述した留め具２Ｃの係止ビン（図示省略）に着脱可能に係止される。このように構成された手首装着部２は、スキャナ装置を机面などに載置させた際に、スキャナ装置が起立した状態で載置されるようになっている。すなわち、筐体１を手首から外して手首装着部２を下側にして載置させた際に、スキャナ装置の自重により可撓性バンド２Ｄが押し潰されるように撓むことにより一対の連結駒２Ｂ、２Ｂが末広がり状に開く（八の字型に開く）ことにより、スキャナ装置が手首装着部２により支えられて起立した状態となるようにしている。
【００１７】
光学部品５は、読み取り対象（バーコート、二次元コードなどのコード情報）を光学的に走査するスキャナ部を構成する光学素子であり、レーザスキャナであれば、レーザ光を照射する発光素子と、その反射光を受光する受光素子を有する構成となっている。なお、レーザスキャナ部に限らず、撮像素子を備えたイメージスキャナであれば、光学部品５は、被写体を撮像する撮像部を構成する光学系（撮影レンズなど）である。このような光学部品５は、図２に示すように、筐体１が手首装着部２を介して手首に装着されている状態においてその手首の小指側の側面に位置するように手首装着部２の一側面に設けられている。すなわち、光学部品５は、ブリッジ板２Ａの一方の折曲部（延出部）、つまり、手首の小指側の折曲部（延出部）から光学部品５の先端部が露出した状態で配設されている。
【００１８】
ここで、ユーザは、読み取り対象をスキャナ装置で読み取る際に、読み取り対象の位置の前で、スキャナ装置を装着した側の手首が胸の前辺りに来るように、肘を曲げた状態にすると、読み取り可能な状態となる。この状態において、スキャナ装置は、スキャナ開始キーＳＴが操作されると、後述するが、スキャナ装置が特定の姿勢であることを条件に、バーコードを走査するスキャニング動作を開始するようにしている。スキャナ開始キーＳＴは、手首装着部２あるいはその近傍に設けられたもので、図示の例では、ブリッジ板２Ａの上面略中央部に設けた場合を示している。このスキャナ開始キーＳＴの近傍には、スキャナ開始キーＳＴが操作された際に、どの方向に光学部品５が向いているのかを識別表示するための識別表示部（発光ダイオード）ＬＤが設けられている。なお、図示の例では、ブリッジ板２Ａの上面において光学部品５側に棒状の識別表示部（発光ダイオード）ＬＤを設けた場合を示している。
【００１９】
図５は、腕装着タイプのスキャナ装置の基本的な構成要素を示したブロック図である。
スキャナ装置は、ＣＰＵ１１を中核として、電源部１２、記憶部１３、メモリ１４、タッチ表示部３、キー操作部４、スキャナ部１５、通信部１６、接触センサ部１７、加速度センサ部１８を有する構成となっている。ＣＰＵ１１は、電源部（二次電池）１２からの電力供給によって動作し、記憶部１３内の各種のプログラムに応じてこのスキャナ装置の全体動作を制御する。
【００２０】
記憶部１３は、例えば、ＲＯＭ、フラッシュメモリなどを有する構成で、オペレーションシステム（ＯＳ）のほか、後述する図６に示した動作手順に応じて本実施形態を実現するためのプログラムや各種のアプリケーションなどが格納されている。なお、記憶部１３は、例えば、ＳＤカード、ＩＣカードなど、着脱自在な可搬型メモリ（記録メディア）を含む構成であってもよく、図示しないが、通信機能を介してネットワークに接続された状態においては所定の外部サーバ側の記憶領域を含むものであってもよい。メモリ１４は、計時情報、フラグ情報など、スキャナ装置が動作するために必要な各種の情報を一時的に記憶するワーク領域である。
【００２１】
タッチ表示部３は、指やペンなどでタッチ操作された位置を検知してその座標データを入力するタッチ入力手段（タッチスクリーン）を構成するもので、表示パネル３Ａとタッチパネル３Ｂを有している。表示パネル３Ａは、例えば、高精細液晶ディスプレイ又は有機ＥＬ（Electro Luminescence）ディスプレイで、ソフトウェアキーとしての機能名を表示するほか、オブジェクト（アイコン、リンクなど）を表示するもので、解像度として、例えば、２４０×３６０ドットの表示が可能となっている。タッチパネル３Ｂとしては、静電容量方式、抵抗皮膜方式、電磁誘導方式、圧電方式などのいずれであってもよい。
【００２２】
キー操作部４は、上述した各種のキーを備えたもので、ＣＰＵ１１は、タッチ表示部３やキー操作部４からの入力操作信号に応じた処理を行う。スキャナ部１５は、バーコード（一次元コード）やＱＲコード（登録商標）（二次元コード）などのコード情報を光学的に読み取るもので、図示省略したが、レーザ光を照射する発光素子、その反射光を受光する受光素子、それらの駆動回路などを有し、ＣＰＵ１１は、このスキャナ部１５により読み取られたコード情報（画像情報）を解析（デコード）することによりコード情報を認識するようにしている。通信部１６は、無線ＬＡＮ（構内通信網）を介してホスト装置（図示省略）に接続されるもので、スキャナ装置との間でデータの送受信を行う。
【００２３】
接触センサ部１７は、スキャナ装置が手に装着された状態（人体接触状態）を例えば、静電容量・光学的・抵抗・機構的などの手段により検出するもので、スキャナ装置の裏面部、つまり、手首装着部２を手に装着した際に、操作部筐体１Ｂの裏面側（手首付近に接触する接触面側）に設けられている。加速度センサ１８は、スキャナ装置の姿勢を検出する３軸タイプの構成で、スキャナ装置（筐体１）の姿勢が重力方向に対して略水平な状態であるかを検出したり、衝撃の受け方から急停止した状態であるかを検出したりする。
【００２４】
ＣＰＵ１１は、筐体１が手首装着部２を介して手首に装着されている状態において、コード情報の読み取りを行うためのユーザの動作として、スキャナ装置（筐体１）が略水平状態にあるか、急停止させた状態であるかを、加速度センサ１８の検出結果に基づいて判別するようにしている。例えば、スキャナ装置を装着している手首が胸の前辺りに来るように、その肘を曲げて前腕を略水平にして急停止させる動作が行われたかを、加速度センサ１８の検出結果に基づいて判別するようにしている。なお、手首が胸の前辺りに来る場合に限らず、手首が腹の前、胸の斜め前など、手首の位置は任意であり、読み取り対象の前にスキャナ装置を位置させるようにすればよい。
【００２５】
次に、第１実施形態におけるスキャナ装置の動作概念を図６に示すフローチャートを参照して説明する。ここで、このフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００２６】
図６は、電源投入に応じて実行開始されるスキャナ装置の全体動作の概要を示したフローチャートである。
先ず、ＣＰＵ１１は、接触センサ部１７の検出結果を取得し（ステップＳ１）、この検出結果に基づいて人体に接触しているか、つまり、接触センサ部１７は、操作部筐体１Ｂの裏面部に設けられているため、その検出結果に基づいてスキャナ装置が手に装着されている状態かを調べる（ステップＳ２）。いま、スキャナ装置が手に装着されていなければ（ステップＳ２でＮＯ）、タッチ表示部３又はキー操作部４からのキー操作の有無を調べる（ステップＳ３）。ここで、いずれのキーも操作されなければ（ステップＳ３でＮＯ）、上述した最初のステップＳ１に戻るが、何らかのキー操作が行われたときには（ステップＳ３でＹＥＳ）、その操作に応じた処理として、例えば、各種の設定処理などを行った後（ステップＳ４）、最初のステップＳ１に戻る。
【００２７】
また、スキャナ装置が手に装着されていれば（ステップＳ２でＹＥＳ）、加速度センサ部１８の検出結果を取得し（ステップＳ５）、この検出結果に基づいてスキャナ装置の姿勢が重力方向に対して略水平な状態であり、かつ、急停止状態であるかを調べる（ステップＳ６）。すなわち、ユーザの動作として、コード情報の読み取りを行うために、例えば、スキャナ装置を装着している手首が胸の前辺りに来るように、その肘を曲げて前腕を略水平にして急停止させる動作が行われたかを調べる。なお、略水平な状態とは、水平に対して例えば、プラス・マイナス２０°程度の範囲内であるが、それに限らず、プラス・マイナス４５°程度の範囲内であってもよい。
【００２８】
ここで、スキャナ装置が略水平な状態で、かつ、急停止した状態でなければ（ステップＳ６でＮＯ）、ユーザの動作は、コード情報の読み取りを行うための動作ではないと判断して、キー操作の有無を調べるために上述のステップＳ３に移るが、スキャナ装置が略水平な状態で、かつ、急停止した状態であれば（ステップＳ６でＹＥＳ）、コード情報の読み取りを行うためのユーザ動作が行われたと判断して、スキャナ開始キーＳＴの操作待ちとなる（ステップＳ７）。この状態において、スキャナ開始キーＳＴが操作されると（ステップＳ７でＹＥＳ）、識別表示部ＬＤを点灯させると共に（ステップＳ８）、スキャナ部１５を起動させた後（ステップＳ９）、このスキャナ部１５により読み取られたコード情報を取得してデコードする（ステップＳ１０）。そして、そのデコード結果を記憶保存したり、表示したりする処理を行った後（ステップＳ１１）、上述の最初のステップＳ１に戻り、以下、上述の動作を繰り返す。
【００２９】
以上のように、第１実施形態におけるスキャナ装置は、板状筐体１の長手方向の一端部側を固定端とし、その他端部側を自由端とするために当該一端部側に設けた手首装着部２と、筐体１上に設けたタッチ表示部３と、筐体１が手首装着部２を介して手首に装着されている状態においてその手首の小指側の側面に位置するように設けた光学部品５とを有する構成であるから、筐体１を手首に装着した状態において前腕の長手方向に沿って筐体１を長くしたとしても、手首を折り曲げたときに筐体が邪魔になることもなく、操作性の向上を期待することができると共に、筐体１を長くすることによりタッチ表示部３を大型化することができ、読み取り作業の効率化など、実用性に富んだものとなる。
【００３０】
筐体１は、縦横の長さが異なる矩形の板状部材であり、タッチ表示部３は、縦横比の異なる表示画面を有し、この表示画面の長手方向が筐体１の長手方向に沿うようにタッチ表示部３を筐体１上に配設するようにしたので、表示画面の大型化が可能となる。
【００３１】
筐体１が手首装着部２を介して手首に装着されている状態において、筐体１をその長手方向が手首から肘に向かう方向に沿うように設けるようにしたので、筐体１の大型化が可能となり、表示部３のほか、キー操作部４を備えることができる。
【００３２】
光学部品５は、読み取り対象を光学的に走査するスキャナ部を構成する光学素子であり、筐体１が手首装着部２を介して手首に装着されている状態においてその手首の小指側の側面に位置するように手首装着部２の一側面に設けるようにしたので、ユーザの服の袖部分が邪魔になることもなく、ユーザの前に位置している読み取り対象に対向するように光学部品５を読み取り対象に向けることができる。従って、ユーザにあっては、筐体１が装着されている手首が胸の前に来るように肘を略直角に曲げるだけで、ユーザの前に位置している読み取り対象に光学部品５を向けることができると共に、前腕を捩じるように回転させるだけで、光学部品５の指向方向を容易に調整することができ、操作性の向上を期待することができると共に、スキャニング作業を効率良く行うことが可能となり、実用性に富んだものとなる。更に、肘を略直角に曲げた状態で読み取りを行うためにスキャナ装置が安定してブレ防止となり、その読み取りを適切に行うことが可能となる。
【００３３】
筐体１は、タッチ表示部３を備えた表示部筐体１Ａとキー操作部４を備えた操作部筐体１Ｂとをスライド可能に取り付けた構成で、筐体１が手首装着部２を介して手首に装着されている状態において、表示部筐体１Ａ、操作部筐体１Ｂのうち、その一方の筐体を他方の筐体に対して手首から肘に向かう方向にスライド可能に取り付けるようにしたので、タッチ表示部３及びキー操作部４を大型化したとしても筐体１の全体をコンパクト化することができ、使い勝手の大幅な向上を期待することができる。
【００３４】
スキャナ装置は、光学部品５を使用した処理の開始を指示するスキャナ開始キーＳＴを手首装着部２の上面に設けるようにしたので、ユーザの服の袖部分が邪魔になることもなく、操作性の向上を期待することができる。
【００３５】
ＣＰＵ１１は、スキャナ開始キーＳＴが操作された際に、識別表示部（発光ダイオード）ＬＤを点灯するようにしたので、との方向に光学部品５が向いているのか明示することができ、光学部品５を読み取り対象に的確に向けることができる。
【００３６】
スキャナ装置は、筐体１が手首装着部２を介して手首に装着されている状態を検出する接触センサ部１７と、筐体１が装着されている前腕が略水平状態であり、かつ、前腕の動作としてその急停止状態を検出する加速度センサ部１８とを有し、この接触センサ部１７及び加速度センサ部１８の検出結果に基づいてスキャナ開始キーＳＴの操作を有効とするようにしたので、ユーザにあっては被写体（コード情報）を読み取るためのポーズ（筐体１が装着されている側の手首が胸の前に来るようにその肘を略直角に曲げた状態の姿勢）をスキャナ開始キーＳＴの操作を有効とするための前提条件とすることができ、キーの誤操作を防ぐことが可能となる。
【００３７】
スキャナ装置は、筐体１を手首から外して手首装着部２を下側にして載置させた際に、スキャナ装置の自重により可撓性バンド２Ｄが押し潰されるように撓むことにより一対の連結駒２Ｂ、２Ｂが末広がり状に開く（八の字型に開く）ことでスキャナ装置が手首装着部２により支えられて起立した状態となるようにしたので、ユーザにあってはスキャナ装置を机面などに載置する際に、スキャナ装置を起立した状態で載置させることができ、机面などとの接触面を少なくすることができると共に、手に装着する際にはスキャナ装置の向きを変えずに装着することができ、スキャナ装置の取扱いも便利なものとなる。
【００３８】
なお、上述した第１実施形態においては、スキャナ開始キーＳＴを手首装着部２の上面に設けたが、その配設位置は手首装着部２の上面に限らず、任意である。すなわち、筐体１が手首装着部２を介して手首に装着されている状態において、例えば、親指側の手首装着部２の一側部に配設してもよく、また、手首装着部２に限らず、その近傍に配設してもよく、操作性の向上を期待できる位置であれば任意である。
【００３９】
上述した第１実施形態においては、接触センサ部１７及び加速度センサ部１８による検出結果をスキャナ開始キーＳＴの操作を有効とするための前提条件とするようにしたが、接触センサ部１７及び加速度センサ部１８による検出結果に基づいてスキャナ部１５を自動的に起動させるようにしてもよい。すなわち、接触センサ部１７により筐体１が手首装着部２を介して手首に装着されている状態であることが検出され、かつ、加速度センサ部１８により筐体１が装着されている前腕が略水平状態であると共に前腕の動作としてその急停止した状態であることが検出された際に、スキャナ部１５を起動させるようにしてもよい。これによって、ユーザにあっては、筐体１が装着されている側の手首が胸の前に来るようにその肘を略直角に曲げた状態の姿勢を取るだけでスキャナ動作を開始させることができ、作業を更に効率良く行うことができる。この場合、図６のフローチャートにおいて、スキャナ開始キーＳＴの操作待ちのステップＳ７を削除するようにすれば、上述の自動開始を実現させることが可能となる。なお、例えば、前腕を下げる動作などを行うことにより、スキャナ部１５の読み取り動作を終了させるようにしてもよい。
【００４０】
また、前腕が略水平状態であると共に急停止した状態であることを検出した際に、何処にレーザー光が照射されるかの読み取り位置をスポット光で知らせた上で、キー操作でレーザー光を照射するようにしてもよい。または、スポット光の照射により、読み取り位置を照らした後に、一定時間（例えば、２秒）の経過を条件としてレーザー光をその読み取り位置に照射するようにしてもよい。
【００４１】
また、前腕の急停止を条件としてスキャナ部１５を自動的に起動させる場合に限らず、前腕を略水平状態とするだけでスキャナ部１５を自動的に起動させるようにしてもよい。すなわち、筐体１が手首装着部２を介して手首に装着されている状態であることが接触センサ部１７により検出され、かつ、加速度センサ部１８により筐体１が装着されている前腕が略水平状態であることが検出された際に、スキャナ部１５を起動させるようにしてもよい。これによって、ユーザにあっては、筐体１が装着されている側の前腕が略水平状態となる姿勢を取るだけでスキャナ動作を開始させることができ、作業を更に効率良く行うことができる。
【００４２】
また、加速度センサ部１８により前腕が略水平状態及び急停止した状態を検出する場合に限らず、略水平状態で回転した状態であることを検出するようにしてもよい。例えば、略水平な状態の前腕を捻る回転を検出するようにしてもよい。この場合、筐体１が手首装着部２を介して手首に装着されている状態であることが接触センサ部１７により検出され、かつ、加速度センサ部１８により筐体１が装着されている前腕が略水平状態であることが検出されると共に回転した状態であることが検出された際に、スキャナ部１５を起動させるようにしてもよい。
【００４３】
これによってユーザにあっては、筐体１が装着されている側の前腕を略水平にした状態で、前腕の下側に位置している読み取り対象に光学部品５を向けるために、前腕を捻るように回転するだけでスキャナ動作を開始させることができ、作業を更に効率良く行うことができる。この場合、前腕を捻っている状態（読み取り対象に光学部品５を向けている状態）を維持している間、スキャナを動作させたままとすることにより複数の読み取り対象を連続して読み取ることも可能となる。
【００４４】
また、上述した第１実施形態においては光学部品５を手首装着部２の一側面に設けるようにしたが、手首装着部２の両側面にそれぞれ光学部品５を配設するようにしてもよい。
図７は、この場合におけるスキャナ装置を上から見た状態での外観図（上面図）である。すなわち、筐体１が手首装着部２を介して手首に装着されている状態においてその手首の小指側の側面に位置するように手首装着部２の一側面に一方の光学部品５を配設し、更に、手首の親指側の側面に位置するように手首装着部２の他側面に他方の光学部品５を配設するようにしてもよい。このように手首装着部２の両側面に光学部品５をそれぞれ配設することにより、右利きのユーザ及び左利きのユーザの両方にそれぞれ対応可能とすることができる。
【００４５】
また、上述した第１実施形態においては、タッチ表示部３を備えた表示部筐体１Ａとキー操作部４を備えた操作部筐体１Ｂとをスライド可能に取り付けた構成としたが、筺体１を表示部筐体１Ａと操作部筐体１Ｂとに分割せず、一つの筺体１上にタッチ表示部３及びキー操作部４を並設するようにしてもよい。
【００４６】
（第２実施形態）
以下、この発明の第２実施形態について図８〜図１０を参照して説明する。
なお、上述した第１実施形態においては、操作部筐体１Ｂ上に重ね合わせられている表示部筐体１Ａを、前腕の長手方向に沿ってスライド可能に取り付けた構成としたが、この第２実施形態においては、操作部筐体１Ｂ上に重ね合わせられている表示部筐体１Ａを、回転可能に取り付けたものである。ここで、両実施形態において基本的あるいは名称的に同一のものは、同一符号を付して示し、その説明を省略すると共に、以下、第２実施形態の特徴部分を中心に説明するものとする。
【００４７】
図８〜図１０は、腕装着タイプのスキャナ装置の外観図である。すなわち、図８及び図９は、腕装着タイプのスキャナ装置をその上の方から見た状態での外観図（上面図）であり、更に図９は、スキャナ装置を手首に装着した状態を示し図である。図１０は、スキャナ装置をその横の方から見た状態での外観図（一側面図）である。
スキャナ装置は、読み取り対象（バーコードなどのコード情報）を光学的に走査するもので、板状の筐体１、手首装着部２、タッチ表示部３、キー操作部４、光学部品５を有する構成となっている。すなわち、スキャナ装置は、板状の筐体１と、その長手方向（図示の例では左右方向：横方向）の一端部側（図中、右側）を固定端とし、その他端部側（図中、左側）を自由端とするために当該一端部側に設けた手首装着部２と、筐体１上に設けたタッチ表示部３及びキー操作部４と、筐体１が手首装着部２を介して手首に装着されている状態においてその手首の小指側の側面に位置するように設けた光学部品５とを有する構成となっている。
【００４８】
筐体１は、縦横の長さが異なる矩形の板状部材であり、筐体１の長手方向の他端部側を手首装着部２に固定した片持ち構造となっており、筐体１が手首装着部２を介して手首に装着されている状態において、筐体１の長手方向が手首から肘に向かう直線方向に沿うように配置されるようになる。そして、筐体１は、図９に示すように、二つの筐体に分割されたもので、タッチ表示部３を備えた表示部筐体１Ａとキー操作部４を備えた操作部筐体１Ｂとを有し、表示部筐体１Ａは、操作部筐体１Ｂに対して時計回り方向及び反時計回り方向にそれぞれ９０°回転可能に取り付けられている。
【００４９】
すなわち、回転支持部６は、筐体１を手首装着部２に対して回転可能に取り付けるもので、この回転支持部６を支点として筐体１は、回転可能となる。この場合、表示部筐体１Ａと操作部筐体１Ｂとは、上下方向（図中、紙面に対して鉛直方向）に重ね合わせて配設されたもので、表示部筐体１Ａ、操作部筐体１Ｂのうち、その一方の筐体、つまり、操作部筐体１Ｂは、手首装着部２に固定されている。この操作部筐体１Ｂの上に重ね合わせられている他の筐体、つまり、表示部筐体１Ａは、操作部筐体１Ｂに対して時計回り方向及び反時計回り方向にそれぞれ９０°回転可能となる。
【００５０】
言い換えれば、図９に示すように筐体１が手首装着部２を介して手首に装着されている状態において、表示部筐体１Ａの長手方向が手首から肘に向かう方向に沿うように配設されている状態（キー操作可能状態）から、手首から肘に向かう方向に対して略直交する方向に沿うように表示部筐体１Ａの長手方向が配置される状態（スキャニング可能状態）に変更可能となっている。ここで、回転支持部６は、図示省略したが、操作部筐体１Ｂの一端部からの突出部（支軸部）に、表示部筐体１Ａの一端部に形成した取付孔を回転可能に嵌め込んだ構造としているが、その取付けの仕方はそれに限らず、任意である。
【００５１】
また、表示部筐体１Ａと操作部筐体１Ｂとが上下に重なり合っている状態（キー操作可能状態：図８参照）と、操作部筐体１Ｂに対して表示部筐体１Ａが９０°回転された状態（スキャニング可能状態：図９参照）において、表示部筐体１Ａと操作部筐体１Ｂとは弾性的に係止されるようになっている。すなわち、図示省略したが、操作部筐体１Ｂ側に形成した係止用穴部に、表示部筐体１Ａ側に設けた係止用突起部（弾性体）が係止することで、表示部筐体１Ａと操作部筐体１Ｂとは弾性的に係止されて、図８に示したキー操作可能状態や図９に示したスキャニング可能状態を維持するようにしている。このいずれかの状態において、その弾性力に抗して表示部筐体１Ａを時計回り方向あるいは反時計回り方向に回転させることにより係止用突起部と係止用穴部との係止が外れるようになっている。
【００５２】
表示部筐体１Ａの先端部（図８の場合には左側端部）には、光学部品５が配設されている。この場合、図１０に示すように、表示部筐体１Ａの先端部は、図中、斜め下側に向かって、やや折り曲げられており、この先端部（折曲部）内に光学部品５がその先端部を露出した状態で収納されている。すなわち、光学部品５は、回転支持部６を介して回転可能に支持されている表示部筐体１Ａの自由端部側に配設されたもので、筺体１が水平な状態において光学部品５の先端部は斜め下側を指向するように収納されている。
【００５３】
このように光学部品５を表示部筐体１Ａの先端部に配設することにより表示部筐体１Ａを操作部筐体１Ｂに対して９０°回転させたスキャニング可能状態では、図９に示すように、手首の小指側の側面に光学部品５が位置するようになる。なお、図８において矢印Ａは、時計回り方向を示し、矢印Ｂは、反時計回り方向を示し、右利きのユーザにあっては、表示部筐体１Ａを時計回り方向Ａに回転させ、左利きのユーザにあっては、表示部筐体１Ａを反時計回り方向Ｂに回転させるようにすればよい。図９は、右利きのユーザの使用例で、表示部筐体１Ａを時計回り方向Ａに回転させた場合である。なお、手首装着部２は、金属性や合成樹脂性の可撓性バンドであり、このバンドの中央部分に操作部筐体１Ｂが固定されている。
【００５４】
以上のように、第２実施形態においては、筐体１を手首装着部２に対して回転可能に取り付ける回転支持部６を備え、この回転支持部６を支点として筐体１を回転可能としたので、筐体１が手首装着部２を介して手首に装着されている状態において、筐体１の長手方向が手首から肘に向かう方向に沿うように配設されている状態から手首から肘に向かう方向に対して略直交する方向に沿うように配置される状態に変更することにより、表示部筐体１Ａの先端部に設けた光学部品５が手首の小指側の側面に位置するようになる。このように筐体１を手首装着部２に対して回転可能に取り付けた場合でも上述した第１実施形態と同様の効果を有する。すなわち、筐体１を手首に装着した状態において前腕の長さ方向に沿って筐体１を長くしたとしても、手首を折り曲げたときに筐体１が邪魔になることもなく、操作性の向上を期待することができると共に、筐体１を長くすることによりタッチ表示部３を大型化することができ、読み取り作業の効率化など、実用性に富んだものとなる。
【００５５】
筐体１は、タッチ表示部３を備えた表示部筐体１Ａとキー操作部４を備えた操作部筐体１Ｂとを有し、表示部筐体１Ａ、操作部筐体１Ｂのいずれか一方の筐体を回転支持部６を支点として回転可能に取り付けるようにしたので、タッチ表示部３及びキー操作部４を大型化したとしても筐体１の全体をコンパクト化することができ、使い勝手の大幅な向上を期待することができる。
【００５６】
回転支持部６は、筐体１を手首装着部２に対して時計回り方向及び反時計回り方向の双方向に回転可能に取り付けるようにしたので、右利きユーザ、左利きユーザのいずれにも対応可能となる。
【００５７】
なお、上述した第２実施形態においては、表示部筐体１Ａを操作部筐体１Ｂに対して回転支持部６を支点として回転可能に取り付けるようにしたが、これとは逆に、操作部筐体１Ｂを表示部筐体１Ａに回転可能に取り付けるようにしてもよい。この場合、光学部品５を操作部筐体１Ｂの先端部（自由端部）側に設けるようにすればよい。更に、筺体１を表示部筐体１Ａと操作部筐体１Ｂとに分割せず、一つの筺体１上にタッチ表示部３とキー操作部４とを並設するようにしてもよい。
【００５８】
上述した各実施形態において光学部品５を、バーコートなどを光学的に走査するスキャナ部を構成する光学素子とした場合を示したが、スキャナ部を構成する光学素子に限らず、被写体を撮像する撮像部（カメラ部）を構成する光学系（撮影レンズやプリズムなど）であってもよい。このように光学部品５を撮像部（カメラ部）の光学系とすることにより手首に装着可能な携帯端末装置として、腕装着タイプの撮像装置（カメラ装置）とすることができる。この場合、前腕の動き（前腕を捻る回転運動など）により被写体の位置に光学部品５を的確に向けることができるほか、被写体に気付かれずに撮影を効率良く行うことも可能となる。
【００５９】
また、上述した各実施形態においては、スキャナ装置に適用した場合を示したが、スキャナ装置、撮像装置に限らず、カメラ機能付きＰＤＡ・音楽プレイヤーなどの携帯端末装置であってもよい。
【００６０】
また、上述した各実施形態において示した“装置”や“部”とは、機能別に複数の筐体に分離されていてもよく、単一の筐体に限らない。また、上述したフローチャートに記述した各ステップＳは、時系列的な処理に限らず、複数のステップＳを並列的に処理したり、別個独立して処理したりするようにしてもよい。
【００６１】
以上、この発明のいくつかの実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
手首に装着可能な携帯端末装置であって、
当該携帯端末装置を構成する板状筐体の長手方向の一端部側を固定端とし、その他端部側を自由端とするために当該一端部側に設けた手首装着部と、
前記筐体上に設けた表示部と、
前記筐体が前記手首装着部を介して手首に装着されている状態においてその手首の小指側の側面に位置するように設けた光学部品と、
を備えたことを特徴とする携帯端末装置である。
（請求項２）
請求項２に記載の発明は、請求項１記載の携帯端末装置において、
前記筐体は、縦横の長さが異なる矩形の板状部材であり、
前記表示部は、縦横比の異なる表示画面を有し、
前記表示画面の長手方向が前記筐体の長手方向に沿うように前記表示部を前記筐体上に配設した、
ことを特徴とする携帯端末装置である。
（請求項３）
請求項３に記載の発明は、請求項１あるいは請求項２に記載の携帯端末装置において、
前記筐体が前記手首装着部を介して手首に装着されている状態において、当該筐体をその長手方向が手首から肘に向かう方向に沿うように設けた、
ことを特徴とする携帯端末装置である。
（請求項４）
請求項４に記載の発明は、請求項１〜請求項３のいずれかに記載の携帯端末装置において、
前記光学部品は、前記筐体が前記手首装着部を介して手首に装着されている状態においてその手首の小指側の側面に位置するように前記手首装着部の一側面に設けた、
ことを特徴とする携帯端末装置である。
（請求項５）
請求項５に記載の発明は、請求項１〜請求項４のいずれかに記載の携帯端末装置において、
前記筐体は、前記表示部を備えた表示部筐体とキー操作部を備えた操作部筐体とをスライド可能に取り付けた構成で、
前記筐体が前記手首装着部を介して手首に装着されている状態において、前記表示部筐体、前記操作部筐体のうち、その一方の筐体を他方の筐体に対して手首から肘に向かう方向にスライド可能に取り付けた、
ことを特徴とする携帯端末装置である。
（請求項６）
請求項６に記載の発明は、請求項１あるいは請求項２に記載の携帯端末装置において、
前記筐体を前記手首装着部に対して回転可能に取り付ける回転支持部を更に備え、
前記筐体が前記手首装着部を介して手首に装着されている状態において、前記回転支持部を支点として前記筐体を回転可能とした、
ことを特徴とする携帯端末装置である。
（請求項７）
請求項７に記載の発明は、請求項６に記載の携帯端末装置において、
前記筐体は、前記表示部を備えた表示部筐体とキー操作部を備えた操作部筐体とを有し、
前記表示部筐体、前記操作部筐体のいずれか一方の筐体を前記回転支持部を支点として回転可能に取り付けた、
ことを特徴とする携帯端末装置である。
（請求項８）
請求項８に記載の発明は、請求項６あるいは請求項７に記載の携帯端末装置において、
前記回転支持部は、前記筐体を前記手首装着部に対して時計回り方向及び反時計回り方向の双方向に回転可能に取り付ける、
ようにしたことを特徴とする携帯端末装置である。
（請求項９）
請求項９に記載の発明は、請求項６〜請求項８のいずれかに記載の携帯端末装置において、
前記光学部品は、前記回転支持部を介して回転可能に支持されている前記筐体の自由端部側に設けた、
ことを特徴とする携帯端末装置である。
（請求項１０）
請求項１０に記載の発明は、請求項１〜請求項９のいずれかに記載の携帯端末装置において、
前記光学部品を使用した処理の開始を指示する開始キーを更に備え、
前記開始キーは、前記手首装着部あるいはその近傍に設けた、
ことを特徴とする携帯端末装置である。
（請求項１１）
請求項１１に記載の発明は、請求項１０に記載の携帯端末装置において、
前記開始キーが操作された際に、どの方向に前記光学部品が向いているのかを識別表示する識別表示部を更に備える、
ようにしたことを特徴とする携帯端末装置である。
（請求項１２）
請求項１２に記載の発明は、請求項１１に記載の携帯端末装置において、
前記筐体が前記手首装着部を介して手首に装着されている状態を検出する装着状態検出手段と、
前記装着状態検出手段により前記筐体が前記手首装着部を介して手首に装着されていることが検出されている状態において、前記筐体が略水平状態であることを検出すると共に急停止状態を検出する検出手段と、
前記検出手段により略水平状態であり、かつ、急停止状態であることが検出された場合に、前記開始キーの操作を有効として前記光学部品を使用した処理を開始させる処理制御手段と、
を更に備える、
ようにしたことを特徴とする携帯端末装置である。
（請求項１３）
請求項１３に記載の発明は、請求項１〜請求項９のいずれかに記載の携帯端末装置において、
前記筐体が前記手首装着部を介して手首に装着されている状態を検出する装着状態検出手段と、
前記装着状態検出手段により前記筐体が前記手首装着部を介して手首に装着されていることが検出されている状態において、前記筐体が略水平状態であることを検出する検出手段と、
前記検出手段により前記筐体が略水平状態であることが検出された際に、前記光学部品を使用した処理を開始させる処理制御手段と、
を更に備える、
ようにしたことを特徴とする携帯端末装置である。
（請求項１４）
請求項１４に記載の発明は、請求項１３に記載の携帯端末装置において、
前記検出手段は、前記筐体が略水平状態であることを検出すると共に急停止状態であることを検出し、
前記処理制御手段は、前記検出手段により前記筐体が略水平状態であり、かつ、急停止状態であることが検出された際に、前記光学部品を使用した処理を開始させる、
ようにしたことを特徴とする携帯端末装置。
（請求項１５）
請求項１５に記載の発明は、請求項１３に記載の携帯端末装置において、
前記検出手段は、前記筐体が略水平状態であることを検出すると共に回転した状態であることを検出し、
前記処理制御手段は、前記検出手段により前記筐体が略水平状態であり、かつ、回転した状態であることが検出された際に、前記光学部品を使用した処理を開始させる、
ようにしたことを特徴とする携帯端末装置。
（請求項１６）
請求項１６に記載の発明は、請求項１〜請求項１５のいずれかに記載の携帯端末装置において、
前記光学部品は、読み取り対象を光学的に走査するスキャナ部を構成する光学素子である、
ことを特徴とする携帯端末装置である。
（請求項１７）
請求項１７に記載の発明は、請求項１〜請求項１５のいずれかに記載の携帯端末装置において、
前記光学部品は、被写体を撮像する撮像部を構成する光学系である、
ことを特徴とする携帯端末装置である。
（請求項１８）
請求項１８に記載の発明は、請求項１〜１７のいずれかに記載の携帯端末装置において、
前記手首装着部は、前記筐体の長手方向の一端部においてその長手方向に対して直交する両側面に回転可能に軸支されている一対の連結駒と、前記一対の連結駒に留め具を介して取り付けられている可撓性バンド部とを有し、
前記筐体を手首から外して前記手首装着部を下側にして置いた際に、前記可撓性バンド部が押し潰されるように撓んで前記一対の連結駒が末広がり状に開くことで当該筐体が起立した状態となる、
ようにしたことを特徴とする携帯端末装置である。
（請求項１９）
請求項１９に記載の発明は、
コンピュータに対して、
板状筐体の長手方向の一端部側を自由端とし、その他端部側を固定端とするために当該他端部側に設けた手首装着部を介して当該筐体が手首に装着されている状態を検出する機能と、
前記筐体が前記手首装着部を介して手首に装着されていることが検出されている状態において、前記筐体が略水平状態であることを検出する機能と、
前記筐体が略水平状態であることが検出された際に、前記筐体が装着されている手首の小指側の側面に位置するように設けられている光学部品を使用した処理を開始させる機能と、
を実現させるためのプログラムである。
【符号の説明】
【００６２】
１  筐体
１Ａ  表示部筐
１Ｂ  操作部筐体
２  手首装着部
２Ａ  ブリッジ板
２Ｂ  連結駒
２Ｃ  留め具
２Ｄ  可撓性バンド
３  タッチ表示部
４  キー操作部
５  光学部品
６  回転支持部
１１  ＣＰＵ
１３  記憶部
１５  スキャナ部
１７  接触センサ部
１８  加速度センサ部
ＳＴ  スキャナ開始キー
ＬＤ  識別表示部
【図１】
0005971309.tif 000002
【図２】
0005971309.tif 000003
【図３】
0005971309.tif 000004
【図４】
0005971309.tif 000005
【図５】
0005971309.tif 000006
【図６】
0005971309.tif 000007
【図７】
0005971309.tif 000008
【図８】
0005971309.tif 000009
【図９】
0005971309.tif 000010
【図１０】
0005971309.tif 000011